(57)【要約】  ダイ（１００）に結合された調整システム（２００）であって、ダイ（１００）は調整システム（２００）を含み、調整システムは、第１及び第２の調整モジュール（２０８Ａ、２０８Ｂ、２０８）を含む。第１の調整モジュール（２０８ａ）は、第１の本体（２２０ａ）、第１の複数のスタッド（２２４ａ）、及び第１のアクチュエータ（２２２ａ）を含む。第１の複数のスタッド（２２４）の各々は、第１の本体（２２０ａ）内に摺動可能に配置される。第１のアクチュエータ（２２２ａ）は、第１の複数のスタッド（２２４ａ）に結合され、第１の複数のスタッド（２２４ａ）の各々を移動させるように構成されている。第２の調整モジュール（２０８ｂ）は、第２の本体（２２０ｂ）、第２の複数のスタッド（２２４ｂ）、及び第２のアクチュエータ（２２２ｂ）を含む。第２の複数のスタッド（２２４ｂ）の各々は、第２の本体（２２０ｂ）内に摺動可能に配置される。第２のアクチュエータ（２２２ｂ）は、第２の複数のスタッド（２２４ｂ）に結合され、第２の複数のスタッド（２２４ｂ）の各々を移動させるように構成されている。第１の複数のスタッド（２２４ａ）を構成するスタッド（２２４ｂ）の数は、第２の複数のスタッド（２２４ｂ）構成するスタッド（２２４）の数とは異なる。
2020535985.tif 000002
【特許請求の範囲】
【請求項１】
ダイに結合するように適合された調整システムであって、前記調整システムは、
第１の調整モジュールであって、
第１の本体と、
第１の複数のスタッドであって、前記第１の複数のスタッドの各々が前記第１の本体内に摺動可能に配置された、第１の複数のスタッドと、
前記第１の複数のスタッドに結合された第１のアクチュエータであって、前記第１の複数のスタッドの各々を移動させるように構成されている、第１のアクチュエータと、を備える第１の調整モジュール；及び、
第２の調整モジュールであって、
第２の本体と、
第２の複数のスタッドであって、前記第２の複数のスタッドの各々が前記第２の本体内に摺動可能に配置された、第２の複数のスタッドと、
前記第２の複数のスタッドに結合された第２のアクチュエータであって、前記第２の複数のスタッドの各々を移動させるように構成されている、第２のアクチュエータと、を備える第２の調整モジュール、を備え、
前記第１の複数のスタッドを構成するスタッドの数が、前記第２の複数のスタッドを構成するスタッドの数とは異なる、調整システム。
【請求項２】
前記第１の調整モジュールの前記第１の本体は、第１の複数のスタッドチャネルを備え、前記第１の複数のスタッドチャネルの各々は、前記第１の複数のスタッドのうちの対応する１つを摺動可能に受け入れるように構成され、前記第２の調整モジュールの前記第２の本体は、第２の複数のスタッドチャネルを備え、前記第２の複数のスタッドチャネルの各々は、前記第２の複数のスタッドのうちの対応する１つを摺動可能に受け入れるように構成されている、請求項１に記載の調整システム。
【請求項３】
前記第１の複数のスタッドは３つのスタッドを含み、前記第２の複数のスタッドは４つのスタッドを含む、請求項１に記載の調整システム。
【請求項４】
接続ボックスと、
前記接続ボックス及び前記第１のアクチュエータに接続して、前記接続ボックスと前記第１のアクチュエータとの間に電気的接続を形成するように構成された第１の配線アセンブリと、
前記接続ボックス及び前記第２のアクチュエータに接続して、前記接続ボックスと前記第２のアクチュエータとの間に電気的接続を形成するように構成された第２の配線アセンブリと、を更に備える請求項１に記載の調整システム。
【請求項５】
前記接続ボックスに結合され、前記第１の調整モジュール及び前記第２の調整モジュールを覆って延びるように構成されたガードを更に備える、請求項４に記載の調整システム。
【請求項６】
前記第１の調整モジュールは、前記ダイに取り外し可能に取り付けられるように構成された第１の取り付けバーを更に備え、前記第１の取り付けバーは、前記第１の複数のスタッドを内部に受け入れるように構成された第１の複数の穴を含み、前記第２の調整モジュールは、前記ダイに取り外し可能に取り付けられるように構成された第２の取り付けバーを更に備え、前記第２の取り付けバーは、前記第２の複数のスタッドを内部に受け入れるように構成された第２の複数の穴を含む、請求項１に記載の調整システム。
【請求項７】
前記第１の調整モジュールは、第１の複数のリップコネクタを更に備え、前記第１の複数のリップコネクタの各々は、前記第１の複数のスタッドのうちの対応する１つの端部に結合するように構成されており、前記第２の調整モジュールは、第２の複数のリップコネクタを更に備え、前記第２の複数のリップコネクタの各々は、前記第２の複数のスタッドのうちの対応する１つの端部に結合するように更に構成されており、前記第１の複数のリップコネクタ及び前記第２の複数のリップコネクタは前記ダイのリップに結合するように構成されている、請求項１に記載の調整システム。
【請求項８】
前記第１のアクチュエータは第１の加熱ユニットを備え、前記第２のアクチュエータは第２の加熱ユニットを備える、請求項１に記載の調整システム。
【請求項９】
前記第１のアクチュエータ及び前記第２のアクチュエータに動作可能に結合されたコントローラを更に備え、前記コントローラは、前記第１のアクチュエータ又は前記第２のアクチュエータを制御して、それぞれ、前記第１の複数のスタッド又は前記第２の複数のスタッドを移動させるための制御コマンドを送信するように構成され、前記コントローラは、
前記ダイを出る物質の厚さプロファイルを感知するように構成されたセンサと、
感知された前記厚さプロファイル及び所望の厚さプロファイルに基づいて、前記制御コマンドを生成するように構成されたプロセッサと、を備える、請求項１に記載の調整システム。
【請求項１０】
前記プロセッサは、
感知された前記厚さプロファイルを前記所望の厚さプロファイルと比較し、
感知された前記厚さプロファイルと前記所望の厚さプロファイルとの前記比較に応答して、感知された前記厚さプロファイルが前記所望の厚さプロファイルの許容範囲外にあることを判定し、
感知された前記厚さプロファイルが前記所望の厚さプロファイルの許容範囲内にないという前記判定に応答して、前記第１のアクチュエータ又は前記第２のアクチュエータに前記制御コマンドを生成して、前記第１の複数のスタッド又は前記第２の複数のスタッドをそれぞれ移動させるように構成されている、請求項９に記載の調整システム。
【請求項１１】
物質を放出するためのダイであって、前記ダイは、
前記ダイに結合された調整システムを備え、前記調整システムは、
第１の調整モジュールであって、
第１の本体と、
第１の複数のスタッドであって、前記第１の複数のスタッドの各々が前記第１の本体内に摺動可能に配置された、第１の複数のスタッドと、
前記第１の複数のスタッドに結合された第１のアクチュエータであって、前記第１の複数のスタッドの各々を移動させるように構成されている、第１のアクチュエータと、を備える第１の調整モジュール；及び、
第２の調整モジュールであって、
第２の本体と、
第２の複数のスタッドであって、前記第２の複数のスタッドの各々が前記第２の本体内に摺動可能に配置された、第２の複数のスタッドと、
前記第２の複数のスタッドに結合された第２のアクチュエータであって、前記第２の複数のスタッドの各々を移動させるように構成されている、第２のアクチュエータと、を備える第２の調整モジュール、を備え、
前記第１の複数のスタッドを構成するスタッドの数が、前記第２の複数のスタッドを構成するスタッドの数とは異なる、ダイ。
【請求項１２】
前記第１の調整モジュール及び前記第２の調整モジュールが両方とも、前記ダイに取り外し可能に取り付けられている、請求項１１に記載のダイ。
【請求項１３】
ダイを修理する方法であって、前記ダイは、前記ダイに取り付けられた第１の調整モジュール及び第２の調整モジュールを含み、前記第１の調整モジュールは第１の複数のスタッドを有し、前記第２の調整モジュールは第２の複数のスタッドを有し、前記方法は、
前記ダイから前記第１の調整モジュールを取り外すことと、
前記ダイに、第３の複数のスタッドを有する置換調整モジュールを取り付けることと、を含み、
前記第１の複数のスタッドを構成するスタッドの数が、前記第３の複数のスタッドを構成するスタッドの数と同じであり、前記第１の複数のスタッドを構成するスタッドの前記数が、前記第２の複数のスタッドを構成するスタッドの数とは異なる、方法。
【請求項１４】
前記第１の複数のスタッドは３つのスタッドを含み、前記第２の複数のスタッドは４つのスタッドを含む、請求項１３に記載の方法。
【請求項１５】
前記第１の調整モジュールは、第１の本体と、前記第１の複数のスタッドに結合された第１のアクチュエータとを含み、前記第１のアクチュエータは、前記第１の複数のスタッドの各々を移動させるように構成され、前記第１の複数のスタッドの各々は、前記第１の本体内に摺動可能に配置され、前記置換調整モジュールは、第３の本体と、前記第３の複数のスタッドに結合された第３のアクチュエータとを含み、前記第３のアクチュエータは、前記第３の複数のスタッドの各々を移動させるように構成され、前記第３の複数のスタッドの各々は、前記第３の本体内に摺動可能に配置される、請求項１３に記載の方法。
【請求項１６】
前記第１のアクチュエータ及び第１の接続ボックスから第１の配線アセンブリを取り外すことと、
第３の配線アセンブリを前記第３のアクチュエータ及び第３の接続ボックスに結合させて、前記第３の接続ボックスと前記第３のアクチュエータとの間に電気的接続を形成することと、を更に含む、請求項１５に記載の方法。
【請求項１７】
前記第３の接続ボックスにガードを結合させることを更に含み、前記ガードは、前記第２の調整モジュール及び前記置換調整モジュールを覆って延びる、請求項１６に記載の方法。
【請求項１８】
前記第１の調整モジュールは第１の取り付けバーを更に含み、前記第１の調整モジュールを前記ダイに取り付けることは、前記第１の取り付けバーを前記ダイに取り外し可能に取り付けることを含み、前記置換調整モジュールは第３の取り付けバーを更に含み、前記置換調整モジュールを前記ダイに取り付けることは、前記第３の取り付けバーを前記ダイに取り外し可能に取り付けることを含む、請求項１３に記載の方法。
【請求項１９】
前記第１の調整モジュールは第１の複数のリップコネクタを更に備え、前記第１の複数のリップコネクタの各々は、前記第１の複数のスタッドのうちの対応する１つの端部に結合され、前記置換調整モジュールは第３の複数のリップコネクタを更に備え、前記第３の複数のリップコネクタの各々は、前記第３の複数のスタッドのうちの対応する１つの端部に結合され、前記方法は、
前記第１の複数のリップコネクタを前記ダイのリップから取り外すことと、
前記第３の複数のリップコネクタを前記ダイの前記リップに結合させることと、を更に含む、請求項１３に記載の方法。
【発明の詳細な説明】
【技術分野】
【０００１】
本発明はダイに関し、より具体的には、調整モジュールを使用してダイ全体にわたる流体配分を調整するモジュール式調整システムを有するダイに関する。
【０００２】
（関連出願の相互参照）
本出願は、２０１７年９月２８日に出願された米国特許仮出願第６２／５６５，０９１号、及び、２０１８年９月５日に出願された米国特許出願第１６／１２２，５９１号の利益を主張し、その開示は、本明細書に参考として組み込まれる。
【背景技術】
【０００３】
ダイは、溶融ポリマー、流体、スラリー、又は他の物質を放出するために使用される。ダイは、ダイ出口を通して物質をリザーバから押し出すことによって、少なくとも１層の物質を供給する。次いで、押出物はロールスタック、基材、又は他の受け入れ要素に送り込まれる。
【０００４】
ダイから放出される物質の配分を変化させるために、ダイ出口の形状は調整器の使用によって調整できる。通常のシステムでは、調整器は単一の本体を含み、本体には複数の調整器スタッドが取り付けられる。調整器はダイに取り付けられ、調整器スタッドの各々はダイ出口に沿って配置される。ダイ出口のサイズを調整するために、調整器スタッドが動かされる。調整器が整備又は修理を必要とする場合、調整器はダイから取り外され、整備され、修理され、ダイ上に戻される。取り外し及び置換プロセスは、調整器を取り扱うためのオーバーヘッドクレーン又は巻き上げ機を必要とする場合があり、多くの場合、著しいダウンタイムを必要とする。
【０００５】
したがって、装置及びシステムの不必要なダウンタイムを最小限に抑えるために、ダイから放出される物質の配分を調整するための改良された調整器が必要である。
【発明の概要】
【０００６】
本明細書では物質を分配するためのダイが開示され、ダイは、モジュール式調整システムと、既存の調整システムに後付けするためのモジュール式調整システムとを含む。モジュール式調整システムは複数の調整モジュールを含み、調整モジュールの各々は調整スタッドを有する。単一の本体に多数の調整器スタッドが取り付けられた完全長調整システムと比較すると、調整モジュールは軽量であり、取り扱いが容易であり、取り外し及び置換のために必要なダウンタイムはより少なく、その結果、修理及び整備が確実な調整システムになる。
【０００７】
調整システムは、第１の調整モジュール及び第２の調整モジュールを含む。第１の調整モジュールは、第１の本体、第１の複数のスタッド、及び第１のアクチュエータを含む。第１の複数のスタッドの各々は、第１の本体内に摺動可能に配置される。第１のアクチュエータは、第１の複数のスタッドに結合され、第１の複数のスタッドの各々を移動させるように構成されている。第２の調整モジュールは、第２の本体、第２の複数のスタッド、及び第２のアクチュエータを含む。第２の複数のスタッドの各々は、第２の本体内に摺動可能に配置される。第２のアクチュエータは、第２の複数のスタッドに結合され、第２の複数のスタッドの各々を移動させるように構成されている。第１の複数のスタッドを構成するスタッドの数は、第２の複数のスタッドを構成するスタッドの数とは異なる。
【０００８】
本発明の別の態様は、物質を放出するためのダイを提供する。ダイは、ダイに結合された調整システムを含む。調整システムは第１の調整モジュールを含み、第１の調整モジュールは、第１の本体と、第１の複数のスタッドであって、当該第１の複数のスタッドの各々が当該第１の本体内に摺動可能に配置された、第１の複数のスタッドと、当該第１の複数のスタッドに結合された第１のアクチュエータであって、当該第１の複数のスタッドの各々を移動させるように構成されている、第１のアクチュエータと、を含む。調整システムはまた、第２の調整モジュールを含み、第２の調整モジュールは、第２の本体と、第２の複数のスタッドであって、当該第２の複数のスタッドの各々が当該第２の本体内に摺動可能に配置された、第２の複数のスタッドと、当該第２の複数のスタッドに結合された第２のアクチュエータであって、当該第２の複数のスタッドの各々を移動させるように構成されている、第２のアクチュエータと、を含む。ダイはまた、当該第２の複数のスタッドを構成するスタッドの数とは異なる、当該第１の複数のスタッドを構成するスタッドの数を含む。
【０００９】
本発明の別の態様は、ダイを修理する方法を提供する。方法は、第１の調整モジュールをダイから取り外すこと、及び置換調整モジュールをダイに取り付けることを含む。置換調整モジュールは第３の複数のスタッドを有し、第１の複数のスタッドを構成するスタッドの数は、第３の複数のスタッドを構成するスタッドの数と同じであり、第１の複数のスタッドを構成するスタッドの数は、第２の複数のスタッドを構成するスタッドの数とは異なる。
【００１０】
この「発明の概要」は、概念の選択を導入するために提供され、「発明を実施するための形態」において以下にて更に説明される。この「発明の概要」は、特許請求される主題の主要な特徴又は本質的な特徴を特定することを意図しておらず、特許請求される主題の範囲を限定するために使用されることも意図していない。更には、特許請求される主題は、本発明の任意の部分に述べられたいずれか又は全ての欠点を解決するという限定に拘束されるものではない。
【００１１】
より詳細な理解を、添付の図面と共に例として与えられた以下の説明から得ることができる。
【図面の簡単な説明】
【００１２】
【図１】ダイの正面斜視図を示す。
【図２Ａ】調整システムの斜視図を示す。
【図２Ｂ】カバーが取り外された、図２Ａに示す調整システムの斜視図を示す。
【図３Ａ】第１の調整モジュールの斜視図を示す。
【図３Ｂ】第２の調整モジュールの斜視図を示す。
【図４Ａ】図３Ａに示す第１の調整モジュールの底面斜視図を示す。
【図４Ｂ】図３Ｂに示す第２の調整モジュールの底面斜視図を示す。
【図５】コントローラの概略図を示す。
【発明を実施するための形態】
【００１３】
ダイから放出されるフィルム又はシートの厚さプロファイルを制御するための調整システムについて説明する。以前のシステムとは異なり、本明細書に記載される調整システムは、より高い品質及びより正確な製品を製造する自動リップ調整を提供し、これは、通常の手動システムと比較して原材料を実質的に節約することができる。調整システムはまた、モジュールセットを含み、その各々が複数の調整装置を収容し、それにより、ダイの特定の領域内の磨耗部品への容易なアクセスが可能になる。
【００１４】
図１は、調整システム２００が結合されたダイ１００の正面斜視図を提供する。ダイ１００は、押出ダイ、スロットダイ、成形ダイ、又は更に他の種類のダイを含み得ることが理解されよう。ダイ１００は、後端（例えば、入口）１０２と、軸方向又は流れ方向Ａに後端１０２から間隔を置いた前端（例えば、分配用）１０４と、第１の端部１０６（例えば、右側）と、長手方向Ｌに第１の端部１０６から間隔を置いた第２の端部１０８（例えば、左側）と、を含む。分配端１０４は、物質を、受け入れ要素に放出するように構成されている。物質としては、流体、溶融ポリマーブレンドなどを挙げることができる。ダイ１００は、ベース、フロアマウント、テーブルトップ、又は他の支持構造（図示せず）によって支持されて、ダイ１００をロールスタック、基材、又は他の受け入れ要素と整列させることができる。一態様では、受け入れ要素は、受け入れ要素への物質の供給中に、分配端１０４に隣接して配置されてもよい。
【００１５】
特定の用語は、説明において便宜のためにのみ使用されており、制限を意図するものではない。「軸方向」、「長手方向」、「左」、「右」、「上方」、「下方」、「後部」、「前部」、「上部」、及び「底部」という語は、参照する図面内での方向を指定する。「実質的に」という用語は、かなりの程度又は大部分を意味することを意図しているが、必ずしも完全に指定することを意図していない。専門用語は、上で列記した用語、それらの派生語、及び類似する意味の用語を含む。
【００１６】
ダイ１００は、上側本体部材１１０及び下側本体部材１１２を含む。ダイ１００は、例えば、左端プレート及び右端プレート、内部スタッド、チューニングアセンブリ、制限部材若しくはバー、デックルシステム、又は更に他の構成要素を含む、他の構成要素を含んでもよいことが理解されよう。上側本体部材１１０及び下側本体部材１１２は、好ましくは、流動面が硬質クロムめっきされた合金工具鋼から製造される。代替として、上側本体部材１１０及び下側本体部材１１２は、特殊合金又は高い寸法安定性を有する他の材料から製造されてもよい。ダイ１００は、２層以上の層で流体を供給するように構成された、１つの中央本体部材（例えば、２層ダイ）、又は複数の中央本体部材（例えば、３層ダイ）などの、より多くの本体部材を含み得ることが理解されよう。
【００１７】
上側本体部材１１０は、ダイ１００の第１の端部１０６から第２の端部１０８まで長手方向Ｌに延びている。上側本体部材１１０は、上側表面１１４を含む。上側本体部材１１０はまた、例えば、チューニングチャネル、制限チャネル、スタッドチャネル、上側入口チャネル、上側ポートチャネル、配分チャンバ、又は内部に形成された他のチャネル若しくはチャンバを含んでもよい。
【００１８】
下側本体部材１１２は、ダイ１００の第１の端部１０６から第２の端部１０８まで長手方向Ｌに延びている。下側本体部材１１２は、下側表面１１６を含む。下側本体部材１１２はまた、その内部に形成された、上側本体部材１１０と同様のチャネル又はチャンバを含んでもよい。
【００１９】
下側本体部材１１２は、上側本体部材１１０に隣接して垂直方向Ｖに配置されている。垂直方向Ｖは、長手方向Ｌに対して実質的に直角をなしている。上側本体部材１１０の上側表面１１４は、下側本体部材１１２の下側表面１１６と向かい合い、入口チャネル１１８及びランドチャネル１２０を形成している。上側表面１１４及び下側表面１１６はまた、それらの間に他のチャネルを形成してもよく、他のチャネルは、例えば、ポートチャネル、追加のプリランドチャネル、又は更に他のチャネルを含む。入口チャネル１１８はまた、「配分チャンバ」又は「配分チャネル」と呼ばれてもよい。ポートチャネル（図では見えない）が、ダイ１００の後端１０２から入口チャネル１１８まで延びていてもよい。ランドチャネル１２０は、入口チャネル１１８からダイ出口１２２まで延びている。ポートチャネル、入口チャネル１１８、及びランドチャネル１２０は、ダイ１００の後端１０２が、分配端１０４においてダイ出口１２２と流体連通するように、互いに流体連通している。
【００２０】
図２Ａ及び図２Ｂは、本発明の態様による調整システム２００の斜視図を示す。調整システム２００は、接続ボックス２０２（例えば、電気ボックス）、配線アセンブリ２０４、ガード２０６、及び調整モジュール２０８を含む。調整システム２００は、ダイ１００に単一のユニットとして結合されていてもよく、代替として、調整システム２００の構成要素がダイ１００に個別に結合されていてもよい。調整システム２００は、既存のダイに後付けして結合されるように構成されてもよい。
【００２１】
接続ボックス２０２は、調整モジュール２０８に電力を供給するように適合された電線及びケーブルを収容している。接続ボックス２０２は、電気的接続を保護し、安全バリアを提供するためのエンクロージャの形態である。接続ボックス２０２は、電力プラグ２１０を受け入れるためのいくつかの出口（図では見えない）を含む。
【００２２】
配線アセンブリ２０４の各々は、プラグ２１０及びケーブル２１２を含む。プラグ２１０は、接続ボックス２０２内の出口に挿入されるように構成され、ケーブル２１２は調整モジュール２０８に電気的に結合される。プラグ２１０を接続ボックス２０２に接続することにより、接続ボックス２０２と調整モジュール２０８との間に電気的接続が提供される。一態様では、各調整モジュールは、２つの配線アセンブリ２０４を含むように構成される。
【００２３】
ガード２０６は、例えば、ボルト、ねじ、又は他の結合手段を介して、接続ボックス２０２に結合されるように適合されている。ガード２０６は、調整モジュール２０８の上面を覆って延び、ダイ１００の動作中に調整モジュール２０８を保護するように構成されている。ガード２０６はまた、調整モジュール２０８に結合されて、更に、ガード２０６を調整システム２００に固定されるように適合されている。ガード２０６は、デブリが調整モジュール２０８に接触することを防止することができ、又は、調整モジュール２０８との、他の意図しない接触を防止することができる。
【００２４】
調整モジュール２０８は、調整システム２００の長手方向Ｌ’に沿って配置されるように構成されている。調整モジュール２０８の各々は、長手方向Ｌ’に沿って、それ以外の調整モジュール２０８の各々に隣接して配置されてもよい。調整モジュール２０８は、調整モジュール２０８の底面に沿って長手方向Ｌ’に延びる支持プレート２１４に結合されていてもよい。
【００２５】
図３Ａ及び図３Ｂは、調整モジュール２０８の２つの態様の斜視図である。図３Ａは、第１の調整モジュール２０８ａを示し、図３Ｂは第２の調整モジュール２０８ｂを示す。各調整モジュール２０８ａ、ｂは、対応する本体２２０ａ、ｂ、アクチュエータ２２２ａ、ｂ、複数のスタッド２２４ａ、ｂ、及び取り付けバー２２６ａ、ｂを含む。本明細書で更に説明するように、「ａ」への言及は、第１の調整モジュール２０８ａの構成要素を指し、「ｂ」への言及は、第２の調整モジュール２０８ｂの構成要素を参照する。
【００２６】
各本体２２０ａ、ｂは、その内部に形成されたスタッドチャネル２２８ａ、ｂを含む。各スタッドチャネル２２８ａ、ｂは、各調整モジュール２０８ａ、ｂを通って上端から下端まで延び、複数のスタッド２２４ａ、ｂを摺動可能に受け入れるように構成されている。一態様では、各本体２２０ａ、ｂは、その内部に形成された複数のスタッドチャネル２２８ａ、ｂを含み、複数のスタッドチャネル２２８ａ、ｂの各々が、対応する複数のスタッド２２４ａ、ｂを摺動可能に受け入れるように構成されていてもよい。例えば、第１の調整モジュール２０８ａは、４つのスタッドチャネル２２８ａを含んでもよく、４つのスタッドチャネル２２８ａの各々が、対応するスタッド２２４ａを受け入れるように構成されている。
【００２７】
各アクチュエータ２２２ａ、ｂは、少なくとも部分的に対応する本体２２０ａ、ｂの各々の中に配置されている。各アクチュエータ２２２ａ、ｂは、対応する本体２２０ａ、ｂの各々を通って延びる複数のスタッド２２４ａ、ｂに結合され、複数のスタッド２２４ａ、ｂの各々を移動させるように構成されている。例えば、アクチュエータ２２２ａは、複数のスタッド２２４ａを作動させて、第１の調整モジュール２０８ａの上端から下端まで、及び各調整モジュール２０８ａの下端から上端まで移動させることができる。一態様では、各調整モジュール２０８ａ、ｂは、対応する本体２２０ａ、ｂを通って延びる複数のスタッド２２４ａ、ｂの各々に対してアクチュエータ２２２ａ、ｂを含んでもよい。例えば、第１の調整モジュール２０８ａが４つのスタッド２２４ａを含む場合、第１の調整モジュール２０８ａは、４つのアクチュエータ２２２ａを、各スタッド２２４ａに対して１つずつ含んでもよい。
【００２８】
アクチュエータ２２２ａ、ｂは、電気式アクチュエータ、機械式アクチュエータ、熱アクチュエータ、又は更に他の種類のアクチュエータを備えてもよい。好ましい態様では、各アクチュエータ２２２ａ、ｂは、熱アクチュエータ（例えば、加熱ユニット）を備える。熱アクチュエータは、温度変化時に直線運動を生み出す非電動モータ及びピストンを含んでもよい。温度が上昇すると、熱アクチュエータ内部の感熱材料が膨張してピストンを所望の長さに押す。温度が低下すると、熱アクチュエータ内部の感熱材料が収縮又は縮小し、ピストンが戻るための空間が生じる。
【００２９】
図４Ａ及び図４Ｂは、第１及び第２の調整モジュール２０８ａ及び２０８ｂの底面斜視図を示す。取り付けバー２２６ａ、ｂの各々は、対応する調整モジュール２０８ａ、ｂの本体２２０ａ、ｂの下端に結合されている。取り付けバー２２６ａ、ｂの各々は、例えば、取り付けバー２２６ａ、ｂの各々をダイ１００に固定するように構成された一対のボルト、ねじ、又は他の構成要素によって、ダイ１００に取り外し可能に取り付けられるように構成されている。取り付けバー２２６ａ、ｂの各々は、その内部を通って延びる複数の穴２３０ａ、ｂを含む。複数の穴２３０ａ、ｂの各々は、その内部に、対応する複数のスタッド２２４ａ、ｂを受け入れるように構成されている。例えば、第１の調整モジュール２０８ａが４つのスタッド２２４ａを含む場合、取り付けバー２２６ａは、４つのスタッド２２４ａの各々を受け入れるように構成された４つの穴２３０ａを含む。
【００３０】
調整モジュール２０８ａ、ｂの各々は、複数のリップコネクタ２３２ａ、ｂを更に含む。リップコネクタ２３２ａ、ｂの各々は、複数のスタッド２２４ａ、ｂの下端に結合するように構成されている。例えば、第１の調整モジュール２０８ａの複数のスタッド２２４ａが４つのスタッドを含む場合、４つのスタッドの各々が、下端の方で結合されたリップコネクタ２３２ａを含む。複数のリップコネクタ２３２ａ、ｂは、複数のスタッド２２４ａ、ｂをダイ１００の分配端１０４に結合させるように構成されている。
【００３１】
一態様では、第１の調整モジュール２０８ａの第１の複数のスタッド２２４ａは４つのスタッド２２４ａを含み、第２の調整モジュール２０８ｂの第２の複数のスタッド２２４ｂは３つのスタッドを含む。調整モジュール２０８ａ、ｂの各々は、より少ない又はより多くのスタッドを含んでよいことが理解されよう。好ましい態様では、調整システム２００は、少なくとも１つの第１の調整モジュール２０８ａ、及び少なくとも１つの第２の調整モジュール２０８ｂを含む。例えば、調整システム２００は、長手方向Ｌ’に沿って整列された５つの第１の調整モジュール２０８ａ、及び長手方向Ｌ’に沿って整列された１つの第２の調整モジュール２０８ｂを含んでもよい。この例では、調整システム２００に組み込まれた２３個のスタッド（５つの第１のモジュール掛ける４スタッドと、１つの第２のモジュール掛ける３スタッドの和）が存在することになる。別の例では、調整システム２００は、３つの第１の調整モジュール２０８ａ、及び３つの第２の調整モジュール２０８ｂを含んでもよい。この結果、調整システム２００に組み込まれた２１個のスタッド（３つの第１のモジュール掛ける４スタッドと、３つの第２のモジュール掛ける３スタッドの和）が存在することになる。
【００３２】
調整システム２００を使用して、ダイ出口１２２を通して分配される物質の配分を制御する方法は、調整システム２００をダイ１００の上側本体部材１１０に取り付けることによって開始される。調整システム２００は、単一のユニットとして実装されてもよく、又は各個別の調整モジュール２０８ａ、ｂが別々に取り付けられてもよい。調整システム２００が取り付けられた場合、調整システム２００の長手方向Ｌ’は、ダイ１００の長手方向Ｌに実質的に平行である。リップコネクタ２３２ａ、ｂの各々は、ダイ１００の分配端１０４において上側本体部材１１０に結合されている。
【００３３】
調整システム２００がダイ１００に取り付けられた後、物質は、ダイ１００の後端１０２に、そしてポートチャネル、入口チャネル１１８、及びランドチャネル１２０を通して提供されてもよい。ポートチャネルの中に精密な体積の物質を送達するために、より多くの押出機（図示せず）のうちの１つを使用して、ポートチャネルの入口に供給してもよい。流体は、入口チャネルの中に入るにつれて長手方向に配分され、入口チャネル１１８を充填する。流体流が入口チャネル１１８を出ると、流体の高さ（例えば、垂直方向Ｖの流体高さ）が低減され、流体はランドチャネル１２０の中に流れ込む。ランドチャネル１２０の高さは、調整システム２００の調整モジュール２０８ａ、ｂによって調整されて、長手方向Ｌに沿ってランドチャネル１２０を通りダイ出口１２２から出るまでの厚さプロファイルが制御される。各アクチュエータ２２２ａ、ｂが、複数のスタッド２２４ａ、ｂの各々を制御して、ダイ出口１２２を通って出る物質の高さを増加及び減少させる。各アクチュエータ２２２ａ、ｂは、以下に更に説明するように、手動又は自動で制御されてもよい。
【００３４】
調整モジュール２０８ａ、ｂ内の構成要素が誤動作した場合、個々の調整モジュール２０８ａ、ｂが取り外され、新しいモジュール（例えば、置換調整モジュール）と置換されてもよい。置換モジュールは、取り外され置換される調整モジュール２０８ａ、ｂ上のスタッドの数と同じ数のスタッドを含む。誤動作する調整モジュール２０８ａ、ｂにアクセスするために、ガード２０６が調整システム２００から取り外される。調整モジュール２０８ａ、ｂは接続ボックス２０２から引き抜かれ、調整モジュール２０８ａ、ｂはダイ１００から取り外される（例えば、固定ボルトを取り外す）。次いで置換モジュールがダイ１００に取り付けられ、接続ボックス２０２に差し込まれて、接続ボックス２０２と置換モジュールとの間に電気的接続が形成される。リップコネクタ２３２ａ、ｂは、ダイ１００の分配端１０４に結合される。次いで、調整モジュールを保護するために、ガード２０６が接続ボックス２０２に結合される。置換モジュールの置換後、ダイ１００の動作が継続する。一態様では、誤動作する調整モジュール２０８ａ、ｂを置換する代わりに、調整モジュール２０８ａ、ｂが取り外され、修理され、ダイ１００上の元の場所に戻されてもよい。
【００３５】
図４は、ダイ１００の制御及び連係を容易にするために使用され得るコントローラ３００、例えば電子制御ユニットを示す。この実施形態では、コントローラ３００は、開示されたダイ１００の中に位置する各センサ３０８及びアクチュエータ３１０を備える。加えて、コントローラ３００は、プロセッサ３０２、メモリ３０４、及びディスプレイ３０６を含む。コントローラ３００は単一のユニットとして表されているが、他の態様では、コントローラ３００は、別の構成要素に組み込まれるか、又はダイ１００上の若しくはダイ１００の外部の異なる場所に位置する、別個であるが相互運用される複数のユニットとして分散されてもよい。コントローラ３００は、以下により詳細に説明するように、ダイ出口１２２を通ってダイ１００から出る物質の厚さプロファイルを自動的に制御するように構成されてもよい。
【００３６】
流量配分センサ３０８は、ダイ出口１２２に隣接して又はダイ出口１２２の近くでダイ１００に結合されてもよい。流量配分センサ３０８は、ダイ出口１２２を通して放出される物質の厚さプロファイル（例えば、流量配分）を感知し得る。厚さプロファイルは、ダイ出口１２２に沿って長手方向Ｌに間隔を置いた場所における物質の高さを含む。一態様では、流量配分センサ３０８は複数のセンサを備えてもよく、これらの各々がダイ出口１２２に沿って整列されてもよい。
【００３７】
プロセッサ３０２は、ダイ１００に動作可能に結合されたセンサ３０８及びアクチュエータ２２２ａ、ｂの各々に結合されてもよい。プロセッサ３０２は、上述のように、流量配分センサ３０８からの入力に応答する信号を出力し、アクチュエータ２２２ａ、ｂを介して調整システム２００の調整モジュール２０８を制御するように構成されてもよい。ディスプレイ３０６はまた、プロセッサ３０２に結合されて、例えばダイ出口１２２を通ってダイ１００から出る物質の配分に関する様々なデータをオペレータに表示してもよい。データに応答して、ダイ１００を出る物質の流量配分を修正して、所望の厚さプロファイルを維持することを含む処理が実行されてもよい。
【００３８】
プロセッサ３０２は、コンピュータ可読メモリ３０４に格納されてもよい、センサ３０８によって感知された値を利用して、感知された厚さプロファイルを、メモリ３０４に格納された所望の厚さプロファイルと比較する。所望の厚さプロファイルが、入力装置（図示せず）によってコントローラ３００に入力されてもよい。感知された厚さプロファイルが、所望の厚さプロファイルから、メモリ３０４に格納された最大閾値の分だけ異なる場合、又は感知された厚さプロファイルが、所望の厚さプロファイルの許容可能な範囲外である場合、プロセッサ３０２は、それに応じて、アクチュエータ２２２ａ、ｂに信号を送信して流量配分を調整してもよい。感知された厚さプロファイルが最大閾値に達していない場合、プロセッサ３０２は、アクチュエータ２２２ａ、ｂに信号を送信して、又は送信せずに、流量配分が調整されてもよい。いずれの場合でも、プロセッサ３０２はまた、厚さプロファイルが最大閾値を超えたか、又はまだ超えていないかを示す信号をディスプレイ３０６に送信してもよい。最大閾値は複数の閾値を含み、その各々が、長手方向Ｌに沿ってダイ出口１２２を通って放出される物質の厚さを示し得ることが理解されよう。
【００３９】
コンピュータ可読メモリ３０４は、ランダムアクセスメモリ（ＲＡＭ）、及び／又は読み出し専用メモリ（ＲＯＭ）を含んでよい。メモリ３０４は、厚さプロファイルを調整するためのアルゴリズムを含むコンピュータ実行可能コードを格納してもよい。メモリ３０４はまた、センサ３０８によって感知された値を含む様々なデジタルファイルを格納してもよい。メモリ３０４に格納された情報は、放出される物質の厚さプロファイルをプロセッサが決定できるように、プロセッサ３０２に提供されてもよい。
【００４０】
上述のこれら特定の実施形態は、例示を目的としたものであり、本明細書において別途記載及び請求されるような本発明の範囲を限定することを意図していない。記載された実施形態からの修正及び変形が存在する。
【図１】
2020535985.tif 000003
【図２Ａ】
2020535985.tif 000004
【図２Ｂ】
2020535985.tif 000005
【図３Ａ】
2020535985.tif 000006
【図３Ｂ】
2020535985.tif 000007
【図４Ａ】
2020535985.tif 000008
【図４Ｂ】
2020535985.tif 000009
【図５】
2020535985.tif 000010
【国際調査報告】
2020535985.tif 000011
2020535985.tif 000012